(57)【要約】【課題】受光量を精度良く取得することができる受光量計測システムを提供する。【解決手段】受光量計測システム１は、身体に装着可能であり、第１受光量を取得する第１受光センサ１１０と、第１受光センサ１１０から第１受光量に関する情報を取得する制御部１２１とを備える。そして、制御部１２１は、第１受光量が第１規定値以下である場合に、第１規定値以下である期間の第１受光量を補間する補間情報を算出し、補間情報を第１受光センサ１１０が取得した受光量として算出する。【選択図】図５
2018186005.tif 000002
【特許請求の範囲】
【請求項１】
身体に装着可能であり、第１受光量を取得する第１取得部と、
前記第１取得部から前記第１受光量に関する情報を取得する制御部とを備え、
前記制御部は、前記第１受光量が第１規定値以下である場合に、前記第１規定値以下である期間の前記第１受光量を補間する補間情報を算出し、前記補間情報を前記第１取得部が取得した受光量として算出する
受光量計測システム。
【請求項２】
前記制御部は、外部の機器から受光量に関する情報を取得し、前記外部の機器の前記受光量を前記補間情報として算出する
請求項１に記載の受光量計測システム。
【請求項３】
前記外部の機器は、第２受光量を取得する第２取得部および空間を照明する照明装置の少なくとも一方である
請求項２に記載の受光量計測システム。
【請求項４】
前記制御部は、前記外部の機器が前記第２取得部である場合に、
前記第１取得部の第１位置情報と前記第２取得部の第２位置情報とに基づいて、前記第１取得部から前記第２取得部までの第１距離を算出し、
前記第１取得部の高さと前記第２取得部の高さとから高さの差分値を算出し、
前記第２取得部の電波強度を前記第２取得部から取得し、
前記第１距離が第１規定距離以下、前記高さの差分値が規定高さ以下、および、電波強度が規定強度以上のうち少なくとも一方を満たす場合に、前記第２取得部の第２受光量を前記補間情報として算出する
請求項３に記載の受光量計測システム。
【請求項５】
前記制御部は、さらに、前記第１受光量と前記第２受光量との差分値を算出し、
前記差分値が第２規定値以下である場合に、前記第１受光量を前記補間情報として算出し、
前記差分値が第２規定値よりも大きい場合に、前記第２受光量を前記補間情報として算出する
請求項４に記載の受光量計測システム。
【請求項６】
前記制御部は、前記外部の機器が前記照明装置である場合に、
前記第１取得部の第１位置情報と前記照明装置の第２位置情報とに基づいて、前記第１取得部から前記照明装置までの第２距離を算出し、
前記第１取得部の高さと前記照明装置の高さとから、高さの差分値を算出し、
前記第２距離が第２規定距離以下、および、前記高さの差分値が規定高さ以下のうち少なくとも一方を満たす場合に、前記照明装置によって得られた第３受光量を前記補間情報として算出する
請求項３に記載の受光量計測システム。
【請求項７】
前記制御部は、さらに、前記第１取得部の第１位置情報と前記照明装置の第２位置情報とに基づいて、前記照明装置によって得られた前記第３受光量を前記補間情報として算出する
請求項６に記載の受光量計測システム。
【請求項８】
前記制御部は、
前記第１規定値以下である時点を含む時間範囲である規定期間以内に前記第１取得部から受信した第４受光量が前記第１規定値よりも大きい場合に、前記第１規定値以下である時点における前記第１取得部の第１位置情報と、前記第４受光量が前記第１規定値よりも大きい時点における前記第１取得部の前記第１位置情報とに基づいて第３距離を算出し、
前記第３距離が第３規定距離未満である場合に、前記第１規定値よりも大きくなる前記第４受光量を前記補間情報として算出する
請求項１〜７のいずれか１項に記載の受光量計測システム。
【請求項９】
光を出射する光源を有し、前記制御部が設けられる端末機器を備え、
前記制御部は、前記光源が発した光の出力と、前記光源が発光する発光期間とから第５受光量を算出し、前記第５受光量を前記補間情報に合算し、前記第１取得部が取得した受光量として算出する
請求項１に記載の受光量計測システム。
【請求項１０】
前記端末機器は、さらに、報知部を備え、
前記制御部は、受光量を算出することができない場合に、前記報知部により報知する
請求項９に記載の受光量計測システム。
【請求項１１】
さらに、光を出射する浴光装置を備え、
前記制御部は、前記浴光装置の光出力および光出射期間の少なくとも一方を制御する
請求項１〜１０のいずれか１項に記載の受光量計測システム。
【発明の詳細な説明】
【技術分野】
【０００１】
本発明は、受光量計測システムに関する。
【背景技術】
【０００２】
近年、乱れた生体リズムを改善する方法として、光を身体に照射することによって体内時計を調節して生体リズムを整えるといったことが行われている。生態リズムを整えることで体内時計を調節し、身体を覚醒させることができる。
【０００３】
従来では、建物内部における居住者の顔面照度を演算する顔面照度演算手段を備えた照明制御システムが開示されている（例えば特許文献１参照）。この照明制御システムでは、顔面照度が覚醒に必要な所定照度になるまで照明を制御する。
【先行技術文献】
【特許文献】
【０００４】
【特許文献１】特開２００９−２３８６５２号公報
【発明の概要】
【発明が解決しようとする課題】
【０００５】
使用者の受光量に応じて照射する光出力および光照射時間等の照明制御をする際に、使用者の受光量を、センサ等を用いて精度よく計測する必要がある。しかしながら、従来の照明制御システムでは、例えばセンサが衣類、頭髪等で遮光されることにより、計測した受光量が実際の受光量よりも小さくなったり、センサと受光量データを保存する端末機器との間での通信エラーが生じたり、電池切れなどによるデータの欠損等が生じたりすることで、受光量を精度良く取得することが出来難い。
【０００６】
そこで、本開示は、受光量を精度良く取得することができる受光量計測システムを提供することを目的とする。
【課題を解決するための手段】
【０００７】
上記目的を達成するため、本発明の一態様に係る受光量計測システムは、身体に装着可能であり、第１受光量を取得する第１取得部と、前記第１取得部から前記第１受光量に関する情報を取得する制御部とを備え、前記制御部は、前記第１受光量が第１規定値以下である場合に、前記第１規定値以下である期間の前記第１受光量を補間する補間情報を算出し、前記補間情報を前記第１取得部が取得した受光量として算出する。
【発明の効果】
【０００８】
本開示によれば、受光量を精度良く取得することができる。
【図面の簡単な説明】
【０００９】
【図１】図１は、実施の形態に係る受光量計測システムを示す模式図である。
【図２】図２は、実施の形態に係る受光量計測システムの第１ウェアラブル端末と、第１端末機器とを示すブロック図である。
【図３】図３は、実施の形態に係る受光量計測システムにおける第１端末機器と第２端末機器との高さの差分値に関する説明図である。
【図４】図４は、実施の形態に係る受光量計測システムを示すイメージ図である。
【図５】図５は、実施の形態に係る受光量計測システムの動作を示すフローチャートである。
【図６】図６は、実施の形態の変形例１に係る受光量計測システムにおける使用者の主観評価に基づいて受光量を算出する動作を示すフローチャートである。
【図７】図７は、実施の形態の変形例２に係る受光量計測システムにおける使用者のスケジュール情報および位置情報に基づいて受光量を算出する動作を示すフローチャートである。
【発明を実施するための形態】
【００１０】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置および接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１１】
また、「略＊＊」との記載は、「略同一」を例に挙げて説明すると、全く同一はもとより、実質的に同一と認められるものを含む意図である。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
以下、本開示の実施の形態に係る受光量計測システムについて説明する。
【００１４】
（実施の形態）
［構成］
図１は、実施の形態に係る受光量計測システム１を示す模式図である。図２は、実施の形態に係る受光量計測システム１の第１ウェアラブル端末１１と、第１端末機器２１とを示すブロック図である。図３は、実施の形態に係る受光量計測システム１における第１端末機器２１と第２端末機器２２との高さの差分値に関する説明図である。図４は、実施の形態に係る受光量計測システム１を示すイメージ図である。
【００１５】
図１に示すように、受光量計測システム１では、使用者が受光した受光量を検出することができるシステムである。受光量計測システム１は、第１ウェアラブル端末１１と、第１端末機器２１とを備える。さらに、本実施の形態では、受光量計測システム１は、第２ウェアラブル端末１２と、第２端末機器２２と、複数の照明装置３１と、浴光装置５１とを備える。
【００１６】
第１ウェアラブル端末１１は、図４に示すように、例えば使用者が着用している服に装着し、使用者が受光した受光量を検出することができる装置である。第１ウェアラブル端末１１と、第１端末機器２１とは通信可能である。この第１ウェアラブル端末１１は、通常、顔の近くである胸元等に装着される。第１ウェアラブル端末１１は、第１取得部の一例である。
【００１７】
図１および図２に示すように、第１ウェアラブル端末１１は、第１受光センサ１１０と、第１通信部１１１とを有する。
【００１８】
第１受光センサ１１０は、例えばフォトダイオード等の受光素子を有するセンサであり、第１受光量を検知することができる。つまり、第１ウェアラブル端末１１は、第１受光センサ１１０によって第１受光量を取得する。第１受光センサ１１０は、検知した第１受光量に関する情報を、第１通信部１１１を介して第１端末機器２１に送信する。ここでいう受光量は、明るさに受光期間を乗算して算出される。つまり、受光量は、所定期間における受光した累積値である。第１受光センサ１１０は、第１取得部の一例である。
【００１９】
第１通信部１１１は、例えば第１ウェアラブル端末１１へ第１受光量に関する情報を送信するアンテナである。
【００２０】
第１端末機器２１は、例えばスマートフォン、タブレット端末等の機器であり、制御部１２１と、第２通信部１２２と、表示部１２３と、記憶部１２４と、入力部１２５と、光源１２６とを有する。
【００２１】
制御部１２１は、第１受光センサ１１０から第１受光量に関する情報を取得する。つまり、制御部１２１は、第１ウェアラブル端末１１が送信した第１受光量に関する情報を、第２通信部１２２を介して受信し、使用者が受光した受光量を算出する。制御部１２１は、具体的には、プロセッサ、マイクロコンピュータ、または専用回路などによって実現される。また、制御部１２１は、プロセッサ、マイクロコンピュータおよび専用回路の組み合わせによって実現されてもよい。
【００２２】
制御部１２１は、第２通信部１２２を介して第１端末機器２１が有するＧＰＳ等の機能により第１位置情報を取得する。厳密には、第１位置情報は第１端末機器２１の位置を示すが、第１端末機器２１の近傍に第１ウェアラブル端末１１が配置されているため、第１端末機器２１の第１位置情報は第１ウェアラブル端末１１の第１位置情報とする。また、第２位置情報においても、第２端末機器２２の第２位置情報は第２ウェアラブル端末１２の第２位置情報とする。制御部１２１は、第１ウェアラブル端末１１から受信した第１受光量と、第１受光量に対応する第１端末機器２１の第１位置情報とを関連付けて記憶部１２４に格納する。
【００２３】
制御部１２１は、第１端末機器２１の周囲に存在する外部の機器の第２位置情報を取得してもよい。外部の機器は、例えば、第２端末機器２２、照明装置３１、周囲の明るさを検知する受光センサ、浴光装置５１等の少なくとも一つの機器である。第１位置情報および第２位置情報には、第１端末機器２１および外部の機器の位置だけでなく、海水面に対する高さの情報等も含まれる。
【００２４】
制御部１２１は、第１受光量が第１規定値以下である場合に、第１規定値以下である期間の第１受光量を補間する補間情報を算出し、補間情報を第１受光センサ１１０が検知した受光量として算出する。
【００２５】
具体的には、制御部１２１は、第１ウェアラブル端末１１から受信した第１受光量が第１規定値よりも大きいか否かを判断する。第１ウェアラブル端末１１から受信した第１受光量が第１規定値よりも大きい場合に、第１受光センサ１１０が正常な状態で受光できていると判断し、制御部１２１は、受信した第１受光量を、実際に使用者が受光した受光量とする。つまり、第１受光量が補間情報となる。ここでいう正常な状態で受光できているとは、第１受光センサ１１０が衣服、頭髪等で遮光されることにより、正確に受光することができない状態を意味する。
【００２６】
また、制御部１２１は、第１ウェアラブル端末１１から受信した第１受光量が第１規定値以下である場合に、第１受光センサ１１０が正常な状態で受光できていない可能性があると判断し、第１受光量が第１規定値以下である時点を含む時間範囲である規定期間以内に第１ウェアラブル端末１１から受信した第４受光量が第１規定値よりも大きいか否かを判断する。つまり、制御部１２１は、第１受光量が第１規定値以下である時点を含む前後の期間である規定期間以内に、第１規定値よりも大きくなっている受光量が存在しているか否かを記憶部１２４から探し出す。制御部１２１は、規定期間以内において、第１規定値よりも大きい第４受光量を認定する。
【００２７】
さらに、制御部１２１は、規定期間以内における第１端末機器２１の第１位置情報と、認定した第４受光量が第１規定値よりも大きい時点における第１端末機器２１の第１位置情報とに基づいて、両者間の第３距離を算出する。制御部１２１は、第３距離が第３規定距離未満である場合に、第１規定値よりも大きくなる第４受光量を実際に使用者が受光した受光量として算出する。つまり、第４受光量を補間情報とする。ここで制御部１２１は、第１ウェアラブル端末１１から受信した第１受光量と、第１受光量に対応する第１端末機器２１の第１位置情報とを関連付けて記憶部１２４に格納している。
【００２８】
なお、制御部１２１は、第４受光量が規定期間内に複数ある場合、第１規定値以下である時点より最も近い時点の第４受光量を算出してもよく、受光量が最も高い又は最も低い第４受光量を算出してもよい。
【００２９】
制御部１２１は、規定期間以内において第１ウェアラブル端末１１から受信した第１受光量の全てが第１規定値以下である場合に、第２端末機器２２が起動しているか否かを判断する。具体的には、制御部１２１は、第２端末機器２２と通信を行うことが出来るか否かで、第２端末機器２２が起動しているか否かを判断する。例えば、制御部１２１が情報を送信し、第２端末機器２２から応答が返ってきた場合に、第１端末機器２１が第２端末機器２２と通信を行うことが出来ると判断してもよい。
【００３０】
なお、ここで、制御部１２１は、第１端末機器２１が他の端末機器から情報を取得可能な通信距離内に存在している場合、第１端末機器２１に最も近い端末機器、最も受光量が大きい端末機器等を選択してもよい。例えば、制御部１２１は、各々の端末機器の位置情報から、第１端末機器２１に最も近い端末機器、最も受光量が大きい端末機器等を認定する。
【００３１】
図２および図３に示すように、制御部１２１は、第２端末機器２２が起動していると判断した場合に、第２端末機器２２から、第２位置情報および電波強度に関する情報を取得する。制御部１２１は、第１端末機器２１の第１位置情報および第２端末機器２２から受信した第２位置情報に基づいて、第２端末機器２２から第１端末機器２１までの第１距離を算出し、第１端末機器２１の高さと第２端末機器２２の高さとから、高さの差分値Ｈ１２を算出する。さらに、制御部１２１は、第２端末機器２２における通信部の電波強度に関する情報を取得する。例えば、電波強度の大小により、使用者が窓際にいるか、屋外にいるか、施設の奥まった所に存在するなどの推定に用いることでできる。このため、電波強度が強いと窓際等に使用者が存在するため、受光し易い環境であると推定できる。また、電波強度が弱いと施設の奥まった所等に使用者が存在するため、受光し難い環境であると推定できる。
【００３２】
制御部１２１は、第２端末機器２２の電波強度が規定強度以上、この第１距離が第３規定距離以下、および、高さの差分値Ｈ１２が第１規定高さ以下のうち少なくとも一方を満たしているか否かを判断する。制御部１２１は、第２端末機器２２の電波強度が規定強度以上、この第１距離が第３規定距離以下、および、高さの差分値Ｈ１２が第１規定高さ以下のうち少なくとも一方を満たしている場合に、第２端末機器２２が第２ウェアラブル端末１２から受信した第２受光量と、第１端末機器２１が第１ウェアラブル端末１１から受信した第１受光量との差分値を算出する。第１規定高さは、規定高さの一例である。
【００３３】
制御部１２１は、この差分値が第２規定値以下であるか否かを判断する。制御部１２１は、差分値が第２規定値以下である場合に、第１受光量を実際に使用者が受光した受光量として算出する。つまり、制御部１２１は、第１受光量と第２受光量とに大きな差分が無いため、第１ウェアラブル端末１１が検知した第１受光量を補間情報として算出する。
【００３４】
また、制御部１２１は、差分値が第２規定値よりも大きい場合に、第２受光量を実際に使用者が受光した受光量として算出する。つまり、制御部１２１は、第１受光量と第２受光量とに大きな差分があるため、第２受光量を補間情報として算出する。言い換えれば、制御部１２１は、外部の機器である第２端末機器２２から受光量に関する情報を取得し、第２端末機器２２の受光量を補間情報として算出する。
【００３５】
また、制御部１２１は、第２端末機器２２の電波強度が規定強度以上、この第１距離が第１規定距離ｃ１以下、および、高さの差分値Ｈ１２が第１規定高さ以下のうちいずれの条件も満たしていない場合に、照明装置３１から第１端末機器２１までの第２距離を算出し、照明装置３１の高さと第１端末機器２１の高さとから、高さの差分値Ｈ１ｉを算出する。具体的には、制御部１２１は、第２距離が第２規定距離以下、および、高さの差分値Ｈ１ｉが第２規定高さ以下のうち少なくとも一方を満たしている照明装置３１が存在するか否かを判断する。つまり、制御部１２１は、例えば第１端末機器２１と同じフロア内に照明装置３１が存在しているか否かを判断する。
【００３６】
制御部１２１は、第１端末機器２１の第１位置情報と照明装置３１の第２位置情報とに基づいて、照明装置３１によって得られた第３受光量を補間情報として算出する。言い換えれば、制御部１２１は、外部の機器である照明装置３１から受光量に関する情報を取得し、照明装置３１の受光量を補間情報として算出する。具体的には、制御部１２１は、第２距離が第２規定距離以下、および、高さの差分値Ｈ１ｉが第２規定高さ以下のうち少なくとも一方を満たしている照明装置３１が存在する場合に、照明装置３１の出力と発光期間とから第３受光量を受光量として算出し、第３受光量を補間情報として算出する。第３受光量は、照明装置３１の出力と発光期間とを乗算して得られる。第２規定高さは、規定高さの一例である。
【００３７】
図３に示すように、例えば、第３ウェアラブル端末１３および第３端末機器２３を有する使用者と、照明装置３２とが異なるフロアに存在している。第３端末機器２３と第１端末機器２１との高さの差分値がＨ１３である。また、照明装置３２と第１端末機器２１との高さの差分値がＨ１４である。この場合に、フロアによって照明環境が異なるため、第１規定距離ｃ１、第２規定距離ｃ２、第１規定高さおよび第２規定高さを設定することで、異なるフロアの第３端末機器２３又は照明装置３２から受光量に関する情報を取得しない。
【００３８】
図１および図２に示すように、制御部１２１は、第１端末機器２１の光源１２６が発光しているか否かを判断する。制御部１２１は、第１端末機器２１の光源１２６が発した光の出力を取得し、この出力を光源１２６が発光している期間に乗算し、第５受光量を算出し、第５受光量を補間情報に合算し、第１受光センサ１１０が所定期間において検知した受光量として算出する。使用者が第１端末機器２１の光源１２６による受光量も加算することで、制御部１２１は、正確な受光量を算出できる。
【００３９】
制御部１２１は、照明装置３１、浴光装置５１等の少なくとも一方を制御する。具体的には、制御部１２１は、例えば使用者が受光した１日の受光量が、記憶部１２４に記憶されている１日に必要な受光量を満たしているか否かを判断する。制御部１２１は、１日に必要な受光量を満たしていないと判断した場合に、使用者が１日に必要な受光量を満たせるように、照明装置３１、浴光装置５１等を制御する。つまり、制御部１２１は、照明装置３１、浴光装置５１等の点灯、照射する光の出力を増加させる等のコマンドを、照明装置３１、浴光装置５１等に送信する。照明装置３１、浴光装置５１等は、このコマンドを受信して、所定の動作を行う。また、１日に必要な受光量を満たしている判断した場合においても、制御部１２１は、照明装置３１、浴光装置５１等の消灯、照射する光の出力を減少させる等のコマンドを、照明装置３１、浴光装置５１等に送信する。
【００４０】
制御部１２１は、照明装置３１、浴光装置５１等の外部の機器から取得した第２位置情報に基づいて、第１端末機器２１と照明装置３１、浴光装置５１等との高さが異なる場合、つまり、建物におけるフロアが異なる場合に、照明装置３１、浴光装置５１等を制御しなくてもよい。第１端末機器２１が照明装置３１、浴光装置５１等と異なるフロアに存在しているか否かの判断は、制御部１２１が、第１端末機器２１の第１位置情報と、照明装置３１、浴光装置５１等の第２位置情報とに基づいて高さの差分値を算出し、高さの差分値が規定高さ以上であれば、建物におけるフロアが異なると判断することにより実現できる。
【００４１】
なお、浴光装置５１は、使用者に光を出射する装置であり、使用者に積極的に受光させる装置に限定されず、通常の照明装置であってもよい。
【００４２】
第２通信部１２２は、例えば第１ウェアラブル端末１１から送信されてきた第１受光量に関する情報を取得するアンテナである。第２通信部１２２が取得した情報は、制御部１２１に入力される。なお、本実施の形態では、第１通信部１１１および第２通信部１２２が行う通信は、例えばＷｉ−Ｆｉ又はＬＴＥ（Ｌｏｎｇ  Ｔｅｒｍ  Ｅｖｏｌｕｔｉｏｎ）などの無線通信規格に基づいた無線通信であってもよい。また、第１通信部１１１および第２通信部１２２は、接続端子であってもよく、第２通信部１２２が通信用ケーブルを介して第１受光量に関する情報を受信してもよい。
【００４３】
表示部１２３は、例えば液晶ディスプレイであり、制御部１２１からの出力により、１日に受光した受光量等の情報を表示させる機能を有する。表示部１２３は、報知部の一例である。報知部は、表示部１２３に限らず、例えばスピーカ等の音を発することで周囲に報知してもよい。
【００４４】
記憶部１２４は、制御部１２１が実行する制御プログラムが記憶される記憶装置である。記憶部１２４は、例えば１日ごとの受光量を記憶したり、所定時間毎における受光量を記憶したりする。また、記憶部１２４には、例えば、第１〜５受光量等に対応する第１位置情報および第２位置情報が記憶されている。第１受光量を例にあげると、所定期間毎に第１受光量に対応する第１位置情報が関連付けられて、記憶部１２４に記憶されている。記憶部１２４は、例えば、半導体メモリによって実現される。
【００４５】
入力部１２５は、例えばタッチパネル等であり、使用者からの操作を受け付けるユーザインタフェースである。入力部１２５は、第１ウェアラブル端末１１における第１受光センサ１１０の受光開始および受光終了を行うことができる。
【００４６】
光源１２６は、いわゆるＳＭＤ（Ｓｕｒｆａｃｅ  Ｍｏｕｎｔ  Ｄｅｖｉｃｅ）型、ＣＯＢ（Ｃｈｉｐ  Ｏｎ  Ｂｏａｒｄ）型等のＬＥＤ素子であってもよい。なお、光源１２６は、表示部１２３に用いられる液晶パネル、有機ＥＬ（Ｅｌｅｃｔｒｏ  Ｌｕｍｉｎｅｓｃｅｎｃｅ）や無機ＥＬ等のＥＬ素子等その他の発光素子であってもよい。このため、光源１２６は、必須の構成要件ではない。
【００４７】
第２ウェアラブル端末１２は、他人が着用している服に装着し、他人が受光した受光量を検出する装置である。第２ウェアラブル端末１２は、第２受光量を検知することができる第２受光センサ１２ａと、第２端末機器２２と通信可能な通信部とを有する。第２ウェアラブル端末１２は、他人が受光した受光量に関する情報を第２端末機器２２に送信する。本実施の形態では、第２ウェアラブル端末１２と第１ウェアラブル端末１１との構成は同様であるが、異なる構成であってもよく、他人が受光している受光量に関する情報を取得することができればよい。第２ウェアラブル端末１２および第２受光センサ１２ａの各々は、第２取得部の一例である。
【００４８】
第２端末機器２２の制御部は、第１端末機器２１に第２受光量を送信するため、第２受光量に対応する第２端末機器２２の第２位置情報と第２端末機器２２の電波強度とに関連付けて、記憶部に記憶する。第２端末機器２２の制御部は、第１端末機器２１の求めに応じて、第２受光量、第２位置情報および電波強度を送信する。なお、第１端末機器２１においても、他の端末装置に送信する場合があるため、第１受光量に対応する第１端末機器２１の第１位置情報と第１端末機器２１の電波強度とに関連付けて、記憶部に記憶する。
【００４９】
また、第２端末機器２２は、第１端末機器２１と異なる端末機器であり、例えばスマートフォン、タブレット端末等である。第２端末機器２２は、第１端末機器２１からの要求に応じ、第２ウェアラブル端末１２が検知した光量に関する情報を第１端末機器２１に送信する。本実施の形態では、第２端末機器２２と第１端末機器２１との構成は同様であるが、異なる構成であってもよい。
【００５０】
［動作］
次に、受光量計測システム１の動作について説明する。
【００５１】
図５は、実施の形態に係る受光量計測システム１の動作を示すフローチャートである。
【００５２】
使用者は、第１ウェアラブル端末１１を起動させて受光量の検知を開始するとともに、第１端末機器２１における受光量を計測する専用のアプリケーションを立ち上げる。これにより、使用者が受光した受光量の計測を開始する。
【００５３】
まず、第１ウェアラブル端末１１は、第１受光センサ１１０が受光した第１受光量ａ１に関する情報を連続的は離散的に第１端末機器２１に送信する。第１端末機器２１の制御部１２１は、第１ウェアラブル端末１１から受信した第１受光量ａ１が第１規定値ａよりも大きいか否かを判断する（Ｓ１）。
【００５４】
第１ウェアラブル端末１１から受信した第１受光量ａ１が第１規定値ａよりも大きいと、制御部１２１が判断した場合（Ｓ１ではＹｅｓ）に、制御部１２１は、受信した第１受光量ａ１を実際に使用者が受光した受光量として算出する（Ｓ２）。つまり、制御部１２１は、第１受光量ａ１を補間情報として算出し、補間情報を第１受光センサ１１０が検知した受光量として算出する。
【００５５】
次に、制御部１２１は、第１端末機器２１が発光しているか否かを判断する（Ｓ３）。具体的には、制御部１２１は、第１端末機器２１の光源１２６が発光しているか否かを判断する（Ｓ３）。なお、ステップＳ３での判断では、光源１２６および表示部１２３の少なくとも一方が発光しているか否かを判断してもよい。
【００５６】
第１端末機器２１が発光していると、制御部１２１が判断した場合（Ｓ３ではＹｅｓ）に、制御部１２１は、第１端末機器２１が発光期間と、第１端末機器２１の光源１２６の出力とから、第５受光量を算出する（Ｓ４）。なお、ステップＳ４での判断では、光源１２６および表示部１２３の少なくとも一方において発光している出力から第５受光量を算出してもよい。
【００５７】
次に、制御部１２１は、第５受光量を第１受光量ａ１に合算して、実際に使用者が受光した受光量として算出する（Ｓ５）。つまり、制御部１２１は、第５受光量を補間情報として算出し、補間情報を第１受光センサ１１０が検知した受光量として算出する。
【００５８】
次に、制御部１２１は、使用者によって第１端末機器２１の光源１２６が発する光量を変更する操作が行われたか否かを判断する（Ｓ６）。
【００５９】
第１端末機器２１が発する光量を変更する操作が行われたと、制御部１２１が判断した場合（Ｓ６ではＹｅｓ）に、ステップＳ３に戻り、制御部１２１は、同様の判断を行う。例えば、第１端末機器２１が発する光量を上げる又は下げるといった、光源１２６に照射させる光量を変更する操作が行われた場合等がある。
【００６０】
なお、制御部１２１は、表示部１２３に実際に使用者が受光した受光量を表示させてもよい。また、制御部１２１が表示部１２３に表示させるタイミングはこの場合に限定されず、他のフローにおいても表示部１２３に表示させてもよい。
【００６１】
また、第１端末機器２１が発光していないと、制御部１２１が判断した場合（Ｓ３ではＮｏ）に、制御部１２１は、ステップＳ６に進み同様のフローを行う。
【００６２】
一方、第１端末機器２１が発する光量を変更する操作が行われていないと、制御部１２１が判断した場合（ステップＳ６ではＮｏ）、制御部１２１は、現在の受光量を表示部１２３に表示してもよい。そして、制御部１２１は、このフローを終了する。また、第１端末機器２１のアプリの終了、第１端末機器２１の消灯させた場合等、使用者の操作により、任意のタイミングで行うことができる。
【００６３】
また、第１ウェアラブル端末１１から受信した第１受光量ａ１が第１規定値ａ以下であると、制御部１２１が判断した場合（Ｓ１ではＮｏ）に、制御部１２１は、第１規定値ａ以下である時点を含む時間範囲である規定期間Ｍ以内に第１ウェアラブル端末１１から受信した第４受光量ａ４が第１規定値ａよりも大きいか否かを判断する（Ｓ１１）。
【００６４】
規定期間Ｍ以内に第１ウェアラブル端末１１から受信した第４受光量ａ４が第１規定値ａよりも大きいと、制御部１２１が判断した場合（Ｓ１１ではＹｅｓ）に、制御部１２１は、第１規定値ａ以下である時点における第１端末機器２１の第１位置情報と、第４受光量ａ４が第１規定値ａよりも大きい時点における第１端末機器２１の第１位置情報とから、両者の第３距離Ｄｎ（ｂａ）を算出する。そして、制御部１２１は、算出した第３距離Ｄｎ（ｂａ）が第３規定距離ｃ３未満であるか否かを判断する（Ｓ１２）。
【００６５】
第３距離Ｄｎ（ｂａ）が第３規定距離ｃ３以内であると、制御部１２１が判断した場合（Ｓ１２ではＹｅｓ）に、制御部１２１は、規定期間Ｍ以内の第４受光量ａ４を実際に使用者が受光した受光量として算出する（Ｓ１３）。つまり、制御部１２１は、第４受光量ａ４を補間情報として算出し、補間情報を第１受光センサ１１０が検知した受光量として算出する。そして、制御部１２１は、ステップＳ３に進み、同様のフローを行う。
【００６６】
一方、第３距離Ｄｎ（ｂａ）が第３規定距離ｃ３よりも大きいと、制御部１２１が判断した場合（Ｓ１２ではＮｏ）に、制御部１２１は、後述するステップＳ２１に進み、フローを行う。
【００６７】
規定期間Ｍ以内に第１ウェアラブル端末１１から受信した第４受光量ａ４の全てが第１規定値ａ以下であると、制御部１２１が判断した場合（Ｓ１１ではＮｏ）制御部１２１は、第２端末機器２２が起動しているか否かを判断する（Ｓ２１）。
【００６８】
第２端末機器２２が起動していると、制御部１２１が判断した場合（Ｓ２１ではＹｅｓ）に、制御部１２１は、第２端末機器２２より、位置情報および電波強度に関する情報を取得する。制御部１２１は、第１端末機器２１から受信した第１位置情報および第２端末機器２２から受信した第２位置情報より、第２端末機器２２から第１端末機器２１までの第１距離Ｄ１２と、第１端末機器２１と第２端末機器２２との高さの差分値Ｈ１２とを算出する。制御部１２１は、第２端末機器２２の電波強度が規定強度ｂ以上であり、この第１距離Ｄ１２が第３規定距離ｃ３以下であり、かつ、高さの差分値Ｈ１２が第１規定高さｄ１以下であるか、否かを判断する（Ｓ２２）。なお、ステップＳ２２では、電波強度が規定強度ｂ以上、この第１距離Ｄ１２が第３規定距離ｃ３以下、および、高さの差分値Ｈ１２が第１規定高さｄ１以下の全ての条件を満たすこととしているが、少なくとも一方を満たしていてもよい。
【００６９】
第２端末機器２２の電波強度が規定強度ｂ以上であり、第２端末機器２２から第１端末機器２１までの第１距離Ｄ１２が第１規定距離ｃ１以下であり、かつ、高さの差分値Ｈ１２が第１規定高さｄ１以下であると、制御部１２１が判断した場合（Ｓ２２ではＹｅｓ）に、制御部１２１は、第２端末機器２２が第２ウェアラブル端末１２から受信した第２受光量と、第１端末機器２１が受信した第１受光量ａ１との差分値｜Ｌｗ２｜を算出する。制御部１２１は、算出した差分値｜Ｌｗ２｜が第２規定値ｅ以下であるか否かを判断する（Ｓ２３）。
【００７０】
一方、第２端末機器２２の電波強度が規定強度ｂ以上であり、第２端末機器２２から第１端末機器２１までの第１距離Ｄ１２が第１規定距離ｃ１以下であり、かつ、高さの差分値Ｈ１２が第１規定高さｄ１以下であるという条件を満たしていないと、制御部１２１が判断した場合（Ｓ２２ではＮｏ）に、制御部１２１は、後述するステップＳ３１に進む。
【００７１】
算出した差分値｜Ｌｗ２｜が第２規定値ｅ以下であると、制御部１２１が判断した場合（Ｓ２３ではＹｅｓ）に、制御部１２１は、ステップＳ２に進み、第１受光量ａ１を実際に使用者が受光した受光量として算出する。つまり、制御部１２１は、第１受光量ａ１を補間情報として算出し、補間情報を第１受光センサ１１０が検知した受光量として算出する。
【００７２】
一方、算出した差分値｜Ｌｗ２｜が第２規定値ｅよりも大きいと、制御部１２１が判断した場合（Ｓ２３ではＮｏ）に、制御部１２１は、第２受光量を実際に使用者が受光した受光量として算出する（Ｓ２４）。つまり、制御部１２１は、第２受光量を補間情報として算出し、補間情報を第１受光センサ１１０が検知した受光量として算出する。そして、ステップＳ３に進み同様のフローが行われる。
【００７３】
また、ステップＳ２１で、第２端末機器２２が起動していないと、制御部１２１が判断した場合（Ｓ２１ではＮｏ）に、制御部１２１は、照明装置３１から第１端末機器２１までの第２距離Ｄ１ｉが第２規定距離ｃ２以下であり、かつ、照明装置３１と第１端末機器２１との高さの差分値Ｈ１ｉが第２規定高さｄ２以下となる照明装置３１が存在するか否かを判断する（Ｓ３１）。なお、ステップＳ３１では、第２距離Ｄ１ｉが第２規定距離ｃ２以下であり、かつ、高さの差分値Ｈ１ｉが第２規定高さｄ２以下の全ての条件を満たすこととしているが、少なくとも一方を満たしていてもよい。
【００７４】
照明装置３１から第１端末機器２１までの第２距離Ｄ１ｉが第２規定距離ｃ２以下であり、かつ、照明装置３１と第１端末機器２１との高さの差分値Ｈ１ｉが第２規定高さｄ２以下である照明装置３１が存在すると、制御部１２１が判断した場合（Ｓ３１ではＹｅｓ）に、制御部１２１は、この条件を満たす照明装置３１の出力から第３受光量を算出し、第３受光量を実際に使用者が受光した受光量として算出する（Ｓ３２）。つまり、制御部１２１は、第１受光センサ１１０の第１位置情報と照明装置３１の第２位置情報とに基づいて、照明装置３１によって得られた第３受光量を補間情報として算出し、補間情報を第１受光センサ１１０が検知した受光量として算出する。なお、制御部１２１は、照明装置３１が備える受光量センサ等から、受光量を取得してもよく、照明装置３１が備える制御装置から照明装置３１の通信部を介して受光量を取得してもよく、第３受光量の取得方法は特に限定されない。そして、制御部１２１は、ステップＳ３に進み、同様のフローを行う。
【００７５】
一方、照明装置３１から第１端末機器２１までの第２距離Ｄ１ｉが第２規定距離ｃ２以下であり、かつ、照明装置３１と第１端末機器２１との高さの差分値Ｈ１ｉが第２規定高さｄ２以下であるという条件を満たしていないと、制御部１２１が判断した場合（Ｓ３１ではＮｏ）に、制御部１２１は、ステップＳ３に進み、同様のフローを行う。
【００７６】
［作用効果］
次に、本実施の形態における受光量計測システム１の作用効果について説明する。
【００７７】
上述したように、本実施の形態に係る受光量計測システム１は、身体に装着可能であり、第１受光量を取得する第１受光センサ１１０と、第１受光センサ１１０から第１受光量に関する情報を取得する制御部１２１とを備える。そして、制御部１２１は、第１受光量が第１規定値以下である場合に、第１規定値以下である期間の第１受光量を補間する補間情報を算出し、補間情報を第１受光センサ１１０が取得した受光量として算出する。
【００７８】
このように、第１受光センサ１１０から取得した、第１受光量が第１規定値以下である場合に、制御部１２１は、第１規定値以下である期間における第１受光量を補間する補間情報を算出する。そして、制御部１２１は、補間情報を第１受光センサ１１０が検知した光量とする。このため、例えば、第１受光センサ１１０が衣類、頭髪等で遮光されることにより、計測した受光量が実際の受光量よりも小さくなったり、第１受光センサ１１０と受光量データを保存する第１端末機器１１との間での通信エラーが生じたり、第１受光センサ１１０および第１端末機器１１の電池切れなどによるデータの欠損等が生じたとしても、その期間の受光量を補間することができる。
【００７９】
したがって、受光量計測システム１では、受光量を精度良く取得することができる。
【００８０】
また、本実施の形態に係る受光量計測システム１において、制御部１２１は、外部の機器から受光量に関する情報を取得し、外部の機器の受光量を補間情報として算出する。
【００８１】
このように、第１受光センサ１１０が検知した第１受光量が、第１規定値以下となる期間が存在しても、制御部１２１が外部の機器の受光量に関する情報を取得し、その受光量を補間情報とするため、この受光量をこの第１規定値以下となる期間に補間することができる。例えば、第２受光量に関する情報を第２端末機器２２から取得するため、第１規定値以下となる期間に第２受光量を補間することができる。また、例えば、第３受光量に関する情報を照明装置３１から取得するため、第１規定値以下となる期間に第３受光量を補間することができる。このため、受光量計測システム１では、使用者の受光量をより精度良く取得することができる。
【００８２】
また、本実施の形態に係る受光量計測システム１において、外部の機器は、第２受光量を取得する第２受光センサ１２ａおよび空間を照明する照明装置３１の少なくとも一方である。
【００８３】
この構成によれば、第２受光センサ１２ａが第２受光量を検知するため、第１受光センサ１１０が検知した第１受光量が、第１規定値以下となる期間が存在しても、外部の機器から、第２受光量および第３受光量の少なくとも一方を取得するため、第１規定値以下となる期間に補間することができる。このため、受光量計測システム１では、使用者の受光量をより精度良く取得することができる。
【００８４】
また、本実施の形態に係る受光量計測システム１において、制御部１２１は、外部の機器が第２取得部である場合に、第１受光センサ１１０の第１位置情報と第２取得部の第２位置情報とに基づいて、第１受光センサ１１０から第２取得部までの第１距離を算出し、第１受光センサ１１０の高さと第２取得部の高さとから高さの差分値を算出し、第２取得部の電波強度を第２取得部から取得する。また、制御部１２１は、第１距離が第１規定距離以下、および、高さの差分値が規定高さ以下、および、電波強度が規定強度以上のうち少なくとも一方を満たす場合に、第２取得部によって得られた第２受光量を補間情報として算出する。
【００８５】
この構成によれば、制御部１２１は、第１受光センサ１１０から第２取得部の一例である第２端末機器２２までの第１距離と、高さの差分値Ｈ１２と、第２端末機器２２の電波強度とに基づいて第２受光量を補間情報として算出するため、第２端末機器２２と第１受光センサ１１０とが異なるフロアである場合といった、第１受光センサ１１０より遠く離れている第２端末機器２２によって得られた第２受光量を補間情報として算出することを抑制することができる。
【００８６】
このため、受光量計測システム１では、使用者の受光量をより精度良く取得することができる。
【００８７】
また、本実施の形態に係る受光量計測システム１において、制御部１２１は、さらに、第１受光量と第２受光量との差分値を算出し、差分値が第２規定値以下である場合に、第１受光量を補間情報として算出し、差分値が第２規定値よりも大きい場合に、第２受光量を補間情報として算出する。
【００８８】
このように、第１受光センサ１１０が検知した第１受光量が、第１規定値以下となる期間が存在しても、第１受光量と第２受光量と差分値が第２規定値以下である場合に、制御部１２１が第１受光量を補間情報として算出する。また、差分値が第２規定値よりも大きい場合に、第２受光量を補間情報として算出する。このため、受光量計測システム１では、使用者の受光量をより精度良く取得することができる。
【００８９】
また、本実施の形態に係る受光量計測システム１において、制御部１２１は、外部の機器が照明装置３１である場合に、第１受光センサ１１０の第１位置情報と照明装置３１の第２位置情報とに基づいて、第１受光センサ１１０から照明装置３１までの第１距離を算出し、第１受光センサ１１０の高さと外部の機器の高さとから、高さの差分値を算出し、第１距離が第１規定距離以下、および、高さの差分値が規定高さ以下のうち少なくとも一方を満たす場合に、照明装置３１によって得られた第３受光量を補間情報として算出する。
【００９０】
この構成によれば、制御部１２１が、第１受光センサ１１０から照明装置３１までの第２距離と、高さの差分値Ｈ１ｉとに基づいて第３受光量を補間情報として算出するため、照明装置３１と第１受光センサ１１０とが異なるフロアである場合といった、第１受光センサ１１０より遠く離れている照明装置３１によって得られた第３受光量を補間情報として算出することを抑制することができる。
【００９１】
このため、受光量計測システム１では、使用者の受光量をより精度良く取得することができる。
【００９２】
また、本実施の形態に係る受光量計測システム１において、制御部１２１は、さらに、第１受光センサ１１０の第１位置情報と照明装置３１の第２位置情報とに基づいて、照明装置３１によって得られた第３受光量を補間情報として算出する。
【００９３】
このように、第１受光センサ１１０が検知した第１受光量が、第１規定値以下となる期間が存在しても、制御部１２１が、第１受光センサ１１０の近くに存在する照明装置３１が発光した光量から第３受光量を取得し、第３受光量を補間情報として算出することができる。このため、受光量計測システム１では、使用者の受光量をより精度良く取得することができる。
【００９４】
また、本実施の形態に係る受光量計測システム１において、制御部１２１は、第１規定値以下である時点を含む時間範囲である規定期間以内に第１受光センサ１１０から受信した第４受光量が第１規定値よりも大きい場合に、第１規定値以下である時点における第１受光センサ１１０の第１位置情報と、第４受光量が第１規定値よりも大きい時点における第１受光センサ１１０の第１位置情報とに基づいて第３距離を算出し、第３距離が第３規定距離未満である場合に、第１規定値よりも大きくなる第４受光量を補間情報として算出する。
【００９５】
このように、第１受光センサ１１０が検知した第１受光量が、第１規定値以下となる期間が存在しても、制御部１２１が算出した第３距離が第３規定距離未満である場合に、第１規定値よりも大きくなる第４受光量を補間情報として算出する。このため、受光量計測システム１では、使用者の受光量をより精度良く取得することができる。
【００９６】
また、本実施の形態に係る受光量計測システム１は、光を出射する光源１２６を有し、制御部１２１が設けられる第１ウェアラブル端末１１を備える。そして、制御部１２１は、光源１２６が発した光の出力と、光源１２６が発光する発光期間とから第５受光量を算出し、第５受光量を補間情報に合算し、第１受光センサ１１０が取得した受光量として算出する。
【００９７】
このように、制御部１２１は、第１端末機器２１が有する光源１２６の出力と、光源１２６が発光する発光期間とから算出された第５光量を取得し、補間情報に合算する。このため、受光量計測システム１では、使用者の受光量をより精度良く取得することができる。
【００９８】
また、本実施の形態に係る受光量計測システム１において、第１ウェアラブル端末１１は、さらに、表示部１２３を備える。そして、制御部１２１は、受光量を算出することができない場合に、表示部１２３により報知する。
【００９９】
このように、制御部１２１が受光量を算出することができない場合に、表示部１２３により報知するため、使用者は、第１ウェアラブル端末１１の第１受光センサ１１０が衣類、頭髪等で遮光されていることを認識することができる。
【０１００】
また、本実施の形態に係る受光量計測システム１は、さらに、光を出射する浴光装置５１を備える。そして、制御部１２１は、浴光装置５１の光出力および光出射期間の少なくとも一方を制御する。
【０１０１】
このように、制御部１２１は、浴光装置５１の光出力および光出射期間の少なくともいずれか一方を制御するため、使用者における１日当たりに必要な受光量が足りていない場合に、浴光装置５１が出射する光の出力を上げたり、使用者における１日当たりの受光量が満ちている場合には、浴光装置５１を消灯させたりする。これにより、使用者は、１日に必要な光を受光することができる。
【０１０２】
（実施の形態の変形例１）
本変形例に係る受光量計測システム１の構成について説明する。
【０１０３】
図６は、実施の形態の変形例１に係る受光量計測システム１における使用者の主観評価に基づいて受光量を算出する動作を示すフローチャートである。
【０１０４】
本変形例では、使用者の主観評価を基に、表示部１２３を介して受光量を入力する機能を有している点で実施の形態と異なっている。また、本変形例の受光量計測システム１は、特に明記しない場合は、実施の形態と同様であり、同一の構成については同一の符号を付して構成に関する詳細な説明を省略する。
【０１０５】
入力部１２５は、例えば、受光量を推定する際に、使用者の主観評価を受付ける。また、入力部１２５は、使用者が直接入力した受光量を受付けてもよい。このため、入力部１２５の入力に関し制限があるわけではない。
【０１０６】
制御部１２１は、使用者の主観評価に基づいて、所定期間に使用者が受光した受光量を算出する。具体的には、図６において、ステップＳ１からステップＳ３１に進み、ステップＳ３１でＮＯとなる場合には、使用者が受光した受光量を特定することができない。このため、制御部１２１は、使用者の自己申告により、受光量を特定することができない期間に受光した受光量を算出する。
【０１０７】
自己申告による受光量の算出は、例えば「非常に暗い、やや暗い、どちらでもない、やや明るい、非常に明るい」の５段階の主観評価を使用者に表示し、この主観評価に基づいて使用者が受光した受光量を推定することにより行う。なお、この主観評価はあくまでも一例であり、使用者が受光した受光量を特定することができない状態における、天候、季節、時刻、位置等に基づいてより詳細に算出してもよい。また、この主観評価を行って算出した受光量を、天候、季節、時刻、場所等により補正を行い、より正確な受光量を算出してもよい。また、主観評価は５段階に限定されず、４段階以下でもよく、６段階以上でもよい。
【０１０８】
この場合における、第１端末機器２１の動作について説明する。
【０１０９】
図５および図６に示すように、まず、第１端末機器２１の制御部１２１は、図５において、ステップＳ１からステップＳ３１に進み、ステップＳ３１でＮＯとなる場合には、主観評価を行う５段階の項目を第１端末機器２１の表示部１２３に表示させる（Ｓ１０１）。
【０１１０】
次に、使用者は、この項目を参照し、入力部１２５を介して入力する（Ｓ１０２）。
【０１１１】
次に、制御部１２１は、入力された項目に応じた受光量を補間情報として算出する（Ｓ１０３）。そして、制御部１２１は、ステップＳ３に進み、同様のフローを行う。
【０１１２】
なお、図６のフローチャートは、図５のステップＳ３１でＮＯとなる場合の後に入力さるだけでなく、使用者の操作に応じて任意のタイミングで入力することができてもよい。このため、図６のフローチャートは、図５のステップＳ３１でＮＯとなる場合の後だけに限定されない。
【０１１３】
この受光量計測システム１では、図５のフローチャートにおけるいずれのステップに該当しなくても、ステップＳ１０１〜ステップＳ１０３による主観評価から導き出した受光量を補間情報として算出するため、使用者の受光量をより精度良く取得することができる。
【０１１４】
本変形例における他の作用効果についても、実施の形態と同様の作用効果を奏する。
【０１１５】
（実施の形態の変形例２）
本変形例に係る受光量計測システム１の構成について説明する。
【０１１６】
図７は、実施の形態の変形例２に係る受光量計測システム１における使用者のスケジュール情報および第１位置情報に基づいて受光量を算出する動作を示すフローチャートである。
【０１１７】
本変形例では、使用者のスケジュール情報を基に、表示部１２３を介して受光量を算出する機能を有している点で実施の形態と異なっている。また、本変形例の受光量計測システム１は、特に明記しない場合は、実施の形態と同様であり、同一の構成については同一の符号を付して構成に関する詳細な説明を省略する。
【０１１８】
制御部１２１は、スケジュール情報および第１位置情報のうちの少なくとも一方の情報に基づいて受光量を算出する。本変形例では、スケジュール情報および第１位置情報に基づいて受光量を算出している。制御部１２１は、例えば使用者における１日、１週間、１か月等のスケジュール情報に基づく使用者の活動情報から、使用者の活動内容に応じた受光量を算出する。スケジュール情報は、例えば、使用者の１日の行動である通勤、会議、外出等のスケジュールである。制御部１２１は、使用者が予め記憶部１２４に記憶させたスケジュール情報から、使用者のスケジュールごとに対応した第１端末機器２１の第１位置情報を取得する。そして、各々のスケジュールごとに受光量を算出する。受光量の算出は、予め設定されているテーブルに基づいて算出してもよい。
【０１１９】
制御部１２１は、図５において、ステップＳ１からステップＳ３１に進み、ステップＳ３１でＮＯとなる場合には、使用者が受光した受光量を特定することができない。このため、制御部１２１は、使用者のスケジュール情報と第１位置情報に基づいて、受光量を特定することができない期間に受光した受光量を算出する。
【０１２０】
この場合における、第１端末機器２１の動作について説明する。
【０１２１】
図５および図７に示すように、まず、第１端末機器２１の制御部１２１は、図５において、ステップＳ１からステップＳ３１に進み、ステップＳ３１でＮＯとなる場合には、制御部１２１は、受光量を特定することができない期間における使用者のスケジュール情報を、記憶部１２４から取得する（Ｓ１１１）。また、制御部１２１は、受光量を特定することができない期間における第１端末機器２１の第１位置情報を取得する（Ｓ１１１）。
【０１２２】
制御部１２１は、使用者のスケジュール情報と、第１端末機器２１の第１位置情報とを対応付け、両者から受光量を補間情報として算出する（Ｓ１１２）。そして、制御部１２１は、ステップＳ３に進み、同様のフローを行う。
【０１２３】
なお、図７のフローチャートは、図５のステップＳ３１でＮＯとなる場合の後に入力さるだけでなく、使用者の操作に応じて任意のタイミングで入力することができてもよい。このため、図７のフローチャートは、図５のステップＳ３１でＮＯとなる場合の後だけに限定されない。
【０１２４】
この受光量計測システム１では、図５のフローチャートにおけるいずれのステップに該当しなくても、スケジュール情報から導き出した受光量を補間情報として算出するため、使用者の受光量をより精度良く取得することができる。
【０１２５】
本変形例における他の作用効果についても、実施の形態と同様の作用効果を奏する。
【０１２６】
（その他変形例等）
以上、本発明について、実施の形態および実施の形態の変形例１、２に基づいて説明したが、本発明は、上記実施の形態および実施の形態の変形例１、２に限定されるものではない。
【０１２７】
例えば、上記実施の形態および実施の形態の変形例１、２において、第１ウェアラブル端末および第１端末機器は、一体的に形成された１つの装置であってもよい。第２ウェアラブル端末および第２端末機器、第３ウェアラブル端末および第３端末機器においても同様である。また、第１〜３ウェアラブル端末および第１〜３端末機器は一例であり、これら３つに限定されない。
【０１２８】
例えば、上記実施の形態および実施の形態の変形例１、２において、制御部は、所定時間以上第１ウェアラブル端末から第１受光量に関する情報を受信していない場合に、スピーカ等にアラーム音を発せさせてもよい。
【０１２９】
また、上記実施の形態および実施の形態の変形例１、２において、第１端末機器は、第２端末機器から第２受光量を取得しているが、第２ウェアラブル端末から第２受光量を取得してもよい。この場合、第２ウェアラブル端末が第２位置情報を取得し、第２受光量と第２位置情報を関連付けて第１端末機器に送信してもよい。
【０１３０】
その他、実施の形態および実施の形態の変形例１、２に対して当業者が思いつく各種変形を施して得られる形態や、本発明の趣旨を逸脱しない範囲で実施の形態および実施の形態の変形例１、２における構成要素および機能を任意に組み合わせることで実現される形態も本発明に含まれる。
【符号の説明】
【０１３１】
１  受光量計測システム
１１  第１ウェアラブル端末（端末機器、第１取得部）
１２  第２ウェアラブル端末（第２取得部、外部の機器）
３１、３２  照明装置（外部の機器）
５１  浴光装置（外部の機器）
１１０  第１受光センサ（第１取得部）
１２ａ  第２受光センサ（（第２取得部）
１２１  制御部
１２３  表示部（報知部）
１２６  光源
【図１】
2018186005.tif 000003
【図２】
2018186005.tif 000004
【図３】
2018186005.tif 000005
【図４】
2018186005.tif 000006
【図５】
2018186005.tif 000007
【図６】
2018186005.tif 000008
【図７】
2018186005.tif 000009